【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
第１の端部から第２の端部までの長さを含む導波体と、
前記導波体の長さ全体に沿って延伸し、第１の厚さを含む中央部分と、
前記導波体の長さに沿って前記中央部分から離れるように延伸し、第１および第２の対向側方部分であって、前記第１の側方部分は第２の厚さを含み、前記第２の側方部分は第３の厚さを含み、前記第２の厚さは前記第１の厚さよりも小さく、前記第３の厚さは前記第１の厚さよりも小さい、第１および第２の対向側方部分と、
前記中央部分に配置された結合部であって、前記結合部は、前記導波体の長さに沿って延伸した細長い結合空隙を前記少なくとも部分的に規定した第１および第２の結合表面を含み、前記結合部はさらに第１および第２の制御表面を含み、前記第１および第２の結合表面は、前記第１および第２の制御表面上に光を導くように構成され、前記第１および第２の制御表面は、前記第１および第２の対向側方部分の少なくとも一方に光を導くように構成された、結合部と、
前記少なくとも一方の側方部分は、光が前記少なくとも一方の側方部分を介して伝搬しているときに、前記少なくとも一方の側方部分の対向する側から光を抽出するための抽出形体を含む、導波体。
【請求項２】
前記第１および第２の対向側方部分の各々は、該第１および第２の対向側方部分の各々の対向する側から光を抽出するための前記抽出形体を含む、請求項１に記載の導波体。
【請求項３】
前記抽出形体の各々は、前記第１および第２の対向側方部分のうち関連する一方から外方に突出した、請求項２に記載の導波体。
【請求項４】
前記結合空隙の一部は窪んでおり、前記第１および第２の制御表面は前記結合空隙の向かい側に位置したＶ字状の表面を規定した、請求項２に記載の導波体。
【請求項５】
前記Ｖ字状の表面は、反射性材料で被覆された、請求項４に記載の導波体。
【請求項６】
前記導波体は、第１の表面と、該第１の表面との向かい側に第２の表面とを含み、前記第１の表面および第２の表面のうち少なくとも一方は、テクスチャ加工された、請求項１に記載の導波体。
【請求項７】
前記第１および第２の制御表面の各々は、光の一部を、前記第１および第２の対向側方部分のうち一方に入射する少なくとも１つの実質的に平行な光線グループの方向に、平行になるように構成された、請求項１に記載の導波体。
【請求項８】
前記第１および第２の対向側方部分は軸非対称であり、前記第１および第２の制御表面は、光を前記第１および第２の対向側方部分に導くように構成された、請求項１に記載の導波体。
【請求項９】
前記抽出形体は、光が前記第１および第２の対向側方部分を介して伝搬しているときに、前記第１および第２の対向側方部分の対向する側から光を抽出するために、前記第１および第２の制御表面から間隔をおいて配置された、請求項１に記載の導波体。
【請求項１０】
前記中央部分の前記第１の厚さは、前記中央部分の縦軸に沿って延伸した、請求項１に記載の導波体。
【請求項１１】
前記第１の側方部分は、第１の軸に対して非垂直な第１の側方部分の角度で配設された第１の下面をさらに含み、
前記第２の側方部分は、第１の軸に対して非垂直な第２の側方部分の角度で配設された第２の下面をさらに含み、
前記第１の軸は、前記中央部分の縦軸に垂直な平面中に位置し、
前記第１の軸は、さらに前記結合部を二等分する、請求項１に記載の導波体。
【請求項１２】
前記第１の側方部分は、第１の下面をさらに含み、
前記第２の側方部分は、第２の下面をさらに含み、
前記第１および第２の下面は、第１の軸に対して異なる側方部分の角度で配設され、
前記第１の軸は、前記中央部分の縦軸に垂直な平面中に位置し、
前記第１の軸はさらに前記結合部を二等分する、請求項１に記載の導波体。
【請求項１３】
前記第１および第２の制御表面の少なくとも一方は、実質的に平行な光線グループとして前記第１および第２の側方部分のうち一方に光を導くように構成された、請求項１２に記載の導波体。
【請求項１４】
前記第１および第２の制御表面の各々は、前記第１および第２の対向側方部分のうち一方に光を導くように構成され、
前記第１および第２の対向側方部分の各々は、光が前記第１および第２の対向側方部分を介して伝搬しているときに、前記第１および第２の対向側方部分の対向する側から光を抽出するための抽出形体を含む、請求項１に記載の導波体。
【請求項１５】
前記結合部の一部は窪んでおり、前記第１および第２の制御表面は前記結合空隙の向かい側に位置したＶ字状の表面を規定した、請求項１に記載の導波体。
【請求項１６】
前記第１および第２の制御表面の少なくとも一方は、実質的に平行な光線グループとして前記第１および第２の対向側方部分のうち一方に光を導くように構成された、請求項１に記載の導波体。
【請求項１７】
前記第１の側方部分は、第１の下面をさらに含み、
前記第２の側方部分は、第２の下面をさらに含み、
前記第１および第２の下面は、第１の軸に対して等しい側方部分の角度で配設され、
前記第１の軸は、前記中央部分の縦軸に垂直な平面中に位置し、
前記第１の軸はさらに前記結合部を二等分する、請求項１に記載の導波体。
【請求項１８】
前記第１の側方部分は、第１の下面をさらに含み、
前記第２の側方部分は、第２の下面をさらに含み、
前記第１の下面は、第１の軸に対して第１の側方部分の角度で配設され、
前記第２の下面は、第１の軸に対して第２の側方部分の角度で配設され、
前記第１の軸は、前記中央部分の縦軸に垂直な平面中に位置し、
前記第１の軸はさらに前記結合部を二等分し、前記第１および第２の側方部分の角度はともに約９０度よりも小さい、請求項１に記載の導波体。
【請求項１９】
前記第１の側方部分は、第１の下面をさらに含み、
前記第２の側方部分は、第２の下面をさらに含み、
前記第１の下面は、第１の軸に対して第１の側方部分の角度で配設され、
前記第２の下面は、第１の軸に対して第２の側方部分の角度で配設され、
前記第１の軸は、前記中央部分の縦軸に垂直な平面中に位置し、
前記第１の軸はさらに前記結合部を二等分し、前記第１および第２の側方部分の角度はともに約７０度よりも大きい、請求項１に記載の導波体。
【請求項２０】
前記第１の側方部分は、第１の下面をさらに含み、
前記第２の側方部分は、第２の下面をさらに含み、
前記第１の下面は、第１の軸に対して第１の側方部分の角度で配設され、
前記第２の下面は、第１の軸に対して第２の側方部分の角度で配設され、
前記第１の軸は、前記中央部分の縦軸に垂直な平面中に位置し、
前記第１の軸はさらに前記結合部を二等分し、前記第１および第２の側方部分の角度の少なくとも一方は、約４５度よりも大きい、約１３５度よりも小さい、および、約４５度から約１３５度の間のうちいずれか１つである、請求項１に記載の導波体。
【手続補正２】
【補正対象書類名】明細書
【補正対象項目名】００３４
【補正方法】変更
【補正の内容】
【００３４】
図面の様々な実施形態に示すように、導波体１２または６４の下面３２は、縦軸Ｌに垂直な平面中で結合部２４を二等分する軸Ｂ（図３）に対して、任意の角度Ａで配設されていてもよい。この角度Ａは、約４５°〜約１３５°であるのがより好ましい（たとえば、図１１〜図１４Ｂ参照）。別の実施形態において、下面３２は、軸Ｂに対して、約７０°〜約９０°の角度Ａで配設されている。図１〜図４に示す実施形態において、下面３２は、軸Ｂに対して、約８５°の角度Ａで配設されている。
【手続補正３】
【補正対象書類名】図面
【補正対象項目名】図１１
【補正方法】変更
【補正の内容】
【図１１】
2016505209.tif 000001
【手続補正４】
【補正対象書類名】図面
【補正対象項目名】図１３Ａ
【補正方法】変更
【補正の内容】
【図１３Ａ】
2016505209.tif 000002
【手続補正５】
【補正対象書類名】図面
【補正対象項目名】図１４Ａ
【補正方法】変更
【補正の内容】
【図１４Ａ】
2016505209.tif 000003
【手続補正６】
【補正対象書類名】図面
【補正対象項目名】図２１
【補正方法】変更
【補正の内容】
【図２１】
2016505209.tif 000004